(57)【要約】【課題】大電流によるターミナルの損傷を防止すること。【解決手段】ケーシングに、三相電力供給用のターミナル（21）を覆う端子箱（3）が取り付けられている。端子箱（3）の下部には、３つのヒューズ（55）が設けられたヒューズボックス（50）が取り付けられている。これにより、所定値以上の大電流が流れると、ヒューズ（55）が溶断してターミナル（21）への電流が遮断される。【選択図】図３
2008202538.tif 000002
【特許請求の範囲】
【請求項１】
電動機を収容したケーシング（2）と、該ケーシング（2）に貫通して設けられ、上記電動機に三相電力を供給するための３つの端子ピン（23）を有するターミナル（21）とを備えた圧縮機であって、
上記ケーシング（2）外に設けられ、上記ターミナル（21）の端子ピン（23）毎に電気的に接続され、上記ターミナル（21）に流れる所定値以上の電流を遮断するためのヒューズ（55）を備えている
ことを特徴とする圧縮機。
【請求項２】
請求項１において、
上記ケーシング（2）の外面に取り付けられて上記ターミナル（21）を覆う端子箱（3）を備え、
上記３つのヒューズ（55）がまとめて設けられて上記端子箱（3）に取り付けられるヒューズボックス（50）を備えている
ことを特徴とする圧縮機。
【請求項３】
請求項２において、
上記ヒューズボックス（50）は、ケーシング（2）の外面から離隔して取り付けられている
ことを特徴とする圧縮機。
【発明の詳細な説明】
【技術分野】
【０００１】
本発明は、圧縮機に関し、圧縮機のターミナルの損傷防止対策に係るものである。
【背景技術】
【０００２】
従来より、冷凍装置に用いられる圧縮機として、密閉型電動圧縮機が知られており、例えば特許文献１に開示されている。この特許文献１の圧縮機は、密閉容器内にモータと圧縮要素とが収納され、電力供給されたモータによって圧縮要素が駆動される。そして、この圧縮機は、モータが電源供給端子（ターミナル）を介して電源と接続されている。
【０００３】
上記圧縮機のターミナルは、特許文献２に開示されるように、一般に、圧縮機のケーシングに取り付けられて、端子箱で覆われている。ターミナルは、一端側の端子ピンがモータ側のリード線に接続され、他端側の端子ピンがコネクタを介して電源側のリード線に接続されている。
【０００４】
ところで、上記特許文献１において、例えばモータの焼損により該モータやそれに接続されるリード線において短絡（地絡）が生じると、電源供給回路では短絡（地絡）電流が流れて、ターミナルなどが損傷するおそれがある。そのため、上記特許文献１の電源供給回路では、モータ側のリード線にヒューズを設け、短絡（地絡）電流が流れるとそのヒューズが溶断して電流を遮断するようにしている。これにより、短絡（地絡）電流によるターミナルなどの損傷防止を図っている。
【特許文献１】特開２００１−２００７９０号公報
【特許文献２】特許３７７５３３１号公報
【発明の開示】
【発明が解決しようとする課題】
【０００５】
しかしながら、上述した特許文献１の圧縮機では、ターミナルを確実に保護することができないという問題があった。具体的に、モータが焼損すると炭化物（導電物）が発生し、その炭化物がターミナルに付着して端子ピン同士が短絡するおそれがある。そのため、モータ焼損によりヒューズが溶断しても、そのまま電力を供給し続けると、ターミナルにおいて短絡（地絡）電流が流れて、該ターミナルが損傷するという問題があった。
【０００６】
本発明は、斯かる点に鑑みてなされたものであり、その目的は、給電用のターミナルを備えた圧縮機において、ターミナルの損傷を確実に防止することである。
【課題を解決するための手段】
【０００７】
第１の発明は、電動機を収容したケーシング（2）と、該ケーシング（2）に貫通して設けられ、上記電動機に三相電力を供給するための３つの端子ピン（23）を有するターミナル（21）とを備えた圧縮機を前提としている。そして、本発明は、上記ケーシング（2）外に設けられ、上記ターミナル（21）の端子ピン（23）毎に電気的に接続され、上記ターミナル（21）に流れる所定値以上の電流を遮断するためのヒューズ（55）を備えているものである。
【０００８】
上記の発明では、電源からターミナル（21）の３つの端子ピン（23）を通じて三相電力が電動機に供給され、電動機が駆動される。ケーシング（2）内では、電動機の焼損によって、あるいは駆動軸などの摺動摩耗によって炭化物や金属粉等の導電物が発生する。この導電物がケーシング（2）内に位置するターミナル（21）に付着し、その導電物によって端子ピン（23）同士が導通すると、電流が端子ピン（23）同士で短絡し、ターミナル（21）に大電流（短絡電流）が流れる。または、導電物によってターミナル（21）とケーシング（2）で地絡した場合、アース抵抗が小さいとターミナル（21）に大電流（地絡電流）が流れる。そして、この大電流が所定値以上になると、ヒューズ（55）が溶断してターミナル（21）への電流が遮断される。したがって、大電流によるターミナル（21）の損傷が確実に防止される。つまり、本発明は、ターミナル（21）の端子ピン（23）よりも電源側にヒューズ（55）を設けて、ターミナル（21）が損傷する程度の短絡（地絡）電流が流れると、その電流を遮断するようにしている。
【０００９】
第２の発明は、上記第１の発明において、上記ケーシング（2）の外面に取り付けられて上記ターミナル（21）を覆う端子箱（3）を備え、上記３つのヒューズ（55）がまとめて設けられて上記端子箱（3）に取り付けられるヒューズボックス（50）を備えているものである。
【００１０】
上記の発明では、ケーシング（2）外に位置するターミナル（21）の端子ピン（23）が端子箱（3）によって覆われている。そして、各ヒューズ（55）が設けられた１つのヒューズボックス（50）が端子箱（3）に取り付けられている。つまり、各端子ピン（23）に接続された３つのリード線が端子箱（3）から引き出されて、ヒューズボックス（50）の各ヒューズ（55）に繋がっている。
【００１１】
第３の発明は、上記第２の発明において、上記ヒューズボックス（50）がケーシング（2）の外面から離隔して取り付けられているものである。
【００１２】
上記の発明では、ヒューズボックス（50）がケーシング（2）と一定の間隔を存して設けられている。したがって、ヒューズボックス（50）がケーシング（2）に密着して設けられている場合に比べて、ケーシング（2）の発熱した熱がヒューズボックス（50）に伝達され難い。
【発明の効果】
【００１３】
したがって、本発明によれば、ケーシング（2）外に、ターミナル（21）に流れる所定値以上の電流を遮断するためのヒューズ（55）を端子ピン（23）毎に設けるようにした。したがって、電源からターミナル（21）へ流れる大電流を確実に遮断することができる。これにより、電動機の焼損や摺動摩耗によって発生した導電物に起因してターミナル（21）に短絡（地絡）電流が流れても、いち早くその短絡（地絡）電流を遮断でき、ターミナル（21）の損傷を確実に防止することができる。その結果、圧縮機（1）の信頼性を向上させることができる。
【００１４】
また、第２の発明によれば、３つのヒューズ（55）をまとめて設けたヒューズボックス（50）を端子箱（3）に取り付けるようにした。したがって、既存する端子箱（3）に取付部などを加工するだけで、容易に且つ簡易にヒューズボックス（50）を備え付けることができる。
【００１５】
また、第３の発明によれば、ヒューズボックス（50）をケーシング（2）から離隔して設けるようにしたので、ケーシング（2）からの熱伝導を抑制することができる。したがって、ヒューズボックス（50）の温度変化を抑制でき、温度変化による結露を防止することができる。その結果、結露によるヒューズ（55）の破損を防止でき、圧縮機（1）の信頼性を一層向上させることができる。
【発明を実施するための最良の形態】
【００１６】
本発明の実施形態を図面に基づいて詳細に説明する。
【００１７】
図１〜図５に示すように、本発明の実施形態に係る圧縮機（1）は、いわゆる全密閉型に構成されている。特に図示しないが、圧縮機（1）のケーシング（2）内部には、電動機、駆動軸、圧縮機構、軸受などが収納されている。すなわち、圧縮機（1）は、電動機に電力を供給すると、その電動機のロータと同軸に設けられた駆動軸が回転するように構成されている。そして、駆動軸は、圧縮機構に係合しており、電動機から圧縮機構に動力を伝達する。これにより、圧縮機構は、低圧のガス冷媒を吸入し、吸入したガス冷媒を圧縮して吐出するようになっている。
【００１８】
図１および図２に示すように、上記圧縮機（1）は、ケーシング（2）外に端子箱（3）およびヒューズボックス（50）を備えている。
【００１９】
上記端子箱（3）は、ケーシング（2）の外側で且つ上下方向のほぼ中心付近に取り付けられている。この端子箱（3）は、正面視で略長方形状の箱体であって、ケーシング（2）の外側に取り付け固定されるベース部材（11）と該ベース部材（11）を覆う上蓋（12）とを備えている。そして、端子箱（3）内には、圧縮機（1）のケーシング（2）を貫通するように設けられている給電用のターミナル（21）や、該ターミナル（21）と電源（図示省略）から延びるリード線（31）とを繋ぐコネクタ（41）などが配置されている。
【００２０】
図３および図４に示すように、上記ベース部材（11）は、正面視で略長方形状に形成された箱状の部材であり、その底面部がケーシング（2）の外周面上に固定されている。また、ベース部材（11）の底面部には、ターミナル（21)が挿通するための貫通穴が形成されている。すなわち、ベース部材（11）は、ターミナル（21）がその貫通穴を挿通した状態でケーシング（2）の外周面上に取り付けられている。
【００２１】
上記上蓋（12）は、箱状の部材であり、ベース部材（11）に対して該ベース部材（11）の開口側を覆うように配設される。上蓋（12）は、ベース部材（11）の内側に嵌め込まれるように該ベース部材（11）よりも小さく形成されている。すなわち、上蓋（12）は、その側壁外面がベース部材（11）の側壁内面に嵌合するように構成されている。
【００２２】
上記端子箱（3）の下面、すなわち、該端子箱（3）をケーシング（2）に取り付けた状態で下側に位置するベース部材（11）および上蓋（12）の側壁部には、上記ヒューズボックス（50）に繋がる３本のリード線（31）の取出し口（3a）が形成されている。また、ベース部材（11）は、下側の側壁部には、下方に延びる取付板（14）が一体に形成されている。この取付板（14）は、ヒューズボックス（50）を取付固定するためのものである。
【００２３】
上記各リード線（31）は、ヒューズボックス（50）側とは反対側の一端が端子箱（3）内に位置付けられ、該一端には、ボルト（43）によってコネクタ（41）の接触部（42）に固定可能なように、円盤状の端子片（32）が一体的に設けられている。コネクタ（41）の接触部（42）は、後述するターミナル（21）の端子ピン（23）に繋がっている。
【００２４】
上記端子箱（3）内において、各リード線（31）は、ほとんど蛇行することなく取出し口（3a）に向かって伸長される。つまり、各リード線（31）は、きつく屈曲されることなく取出し口（3a）へ案内される。そのため、各リード線（31）同士が干渉し合ったり、リード線（31）が端子箱（3）の内面に接触したりすることもない。
【００２５】
上記ターミナル（21）は、図４に示すように、盆状に形成された基部（22）を有していて、この基部（22）が、ケーシング（2）に形成された孔に対し、ケーシング（2）外方に底面が向くように嵌め込まれた状態で溶接固定されている。この基部（22）には、３本の端子ピン（23）が底面を貫通するように設けられている。これらの端子ピン（23）は、同一ピッチ円上に１２０°間隔で配置されている。また、各端子ピン（23）は、基部（22）よりもケーシング（2）外側の基端部分がガラス製の絶縁材によって覆われた絶縁部（24）が形成されている。つまり、ターミナル（21）の各端子ピン（23）は、ケーシング（2）外側の端部がコネクタ（41）を介して上述した各リード線（31）に電気的に接続され、ケーシング（2）内側の端部が圧縮機（1）内の電動機にリード線（図示せず）で電気的に接続されている。
【００２６】
上記ヒューズボックス（50）は、図２および図３に示すように、端子箱（3）の取付板（14）にボルト（54a）によって固定されている。つまり、ヒューズボックス（50）は、端子箱（3）の下部に取り付けられている。
【００２７】
具体的に、上記ヒューズボックス（50）は、図５にも示すように、ボックス本体（51）と、カバー（52）を備えている。ボックス本体（51）は、平面視が矩形の厚肉板状に形成されている。このボックス本体（51）の表面には、端子箱（3）に取り付けた状態で縦方向（上下方向）に亘って真っ直ぐ延びる３つの凹溝部（53）が形成されている。この各凹溝部（53）は、互いに並列に配設されている。カバー（52）は、平面視がボックス本体（51）と略同じ矩形に形成されると共に断面視がコの字状に形成される一方、両端が開放されている。つまり、このカバー（52）は、ボックス本体（51）に各凹溝部（53）を覆うように取り付けられる。そして、この状態では、凹溝部（53）の両端が上下方向に開口している。
【００２８】
上記ボックス本体（51）の各凹溝部（53）には、ヒューズ（55）が取り付けられている。各ヒューズ（55）は、両端部にＬ型端子（56）が固定されており、そのＬ型端子（56）がボルト（56a）によって凹溝部（53）に固定されている。そして、各ヒューズ（55）は、一端のＬ型端子（56）に端子箱（3）からの各リード線（31）の端子片（32）が接続され、他端のＬ型端子（56）に電源側からのリード線（31）の端子片が接続されている。つまり、Ｌ型端子（56）とリード線（31）の端子片（32）とがボルト（56a）によって接続されることで、ヒューズ（55）がターミナル（21）の端子ピン（23）と電源とに電気的に接続されている。
【００２９】
また、上記ボックス本体（51）の上面部（図５（Ａ）の右側部）には、上述した端子箱（3）の取付板（14）にボルト（54a）によって固定される取付板（54）が形成されている。この取付板（54）は、ボックス本体（51）の上面部から突出し、該ボックス本体（51）に一体形成されている。
【００３０】
さらに、上記ヒューズボックス（50）は、図２に示すように、ケーシング（2）の外面から離隔して端子箱（3）に取り付けられている。つまり、ヒューズボックス（50）とケーシング（2）とは、一定の間隔を存しており、その両者の空間が断熱空間（60）を構成している。これにより、ケーシング（2）からヒューズボックス（50）への熱伝達が抑制される。
【００３１】
ところで、上記ケーシング（2）の溶接や圧縮機構の摺動摩耗によって発生した金属粉や、電動機の焼損によって発生した炭化物などがケーシング（2）内におけるターミナル（21）に付着すると、それらの付着物（以下、導電物という。）によって端子ピン（23）同士の間で短絡が発生する場合がある。そうすると、ターミナル（21）において短絡電流（大電流）が流れて、特に端子ピン（23）が溶損若しくは破損するおそれがある。また、ターミナル（21）に地絡電流（大電流）が流れても、同様に、端子ピン（23）が溶損若しくは破損するおそれがある。
【００３２】
しかし、本発明では、所定値以上の短絡（地絡）電流が流れると、すなわち端子ピン（23）が溶損等する最低電流値以上の電流が流れると、その通電した端子ピン（23）に対応するヒューズ（55）が溶断する。これにより、ターミナル（21）へ流れる短絡（地絡）電流が遮断される。したがって、大電流による端子ピン（23）の溶損等が防止される。
【００３３】
−実施形態の効果−
本実施形態によれば、ケーシング（2）外に、ターミナル（21）の各端子ピン（23）に流れる電流を遮断するためのヒューズ（55）を設けるようにした。したがって、電源からターミナル（21）へ流れる所定値以上の大電流を確実に遮断することができる。これにより、電動機の焼損や摺動摩耗によって発生した導電物に起因してターミナル（21）に短絡（地絡）電流が流れても、いち早くその短絡（地絡）電流を遮断でき、端子ピン（23）の溶損や破損を確実に防止することができる。その結果、圧縮機（1）の信頼性を高めることができる。
【００３４】
また、各端子ピン（23）毎にヒューズ（55）を設けるようにしたので、何れの端子ピン（23）が短絡しても、確実に短絡（地絡）電流を遮断することができる。
【００３５】
また、本実施形態によれば、３つのヒューズ（55）を１つのヒューズボックス（50）にまとめて設け、そのヒューズボックス（50）を既存の端子箱（3）に取り付けるようにした。したがって、容易に且つ簡易に各ヒューズ（55）を備え付けることができる。その結果、低コストで圧縮機（1）の信頼性を向上させることができる。
【００３６】
さらに、本実施形態によれば、ヒューズボックス（50）をケーシング（2）から離隔して設け、両者の間に断熱空間（60）を形成するようにした。したがって、ケーシング（2）からヒューズボックス（50）への熱伝導を抑制することができる。ケーシング（2）は、運転時には非常に高い温度になるため、運転時と停止時とでは温度の変化が著しい。そのため、ヒューズボックス（50）がケーシング（2）に密着して取り付けられた場合、ケーシング（2）からヒューズボックス（50）への熱伝達により、ヒューズボックス（50）の温度も著しく変化する。そうすると、ヒューズボックス（50）に結露が生じて、ヒューズ（55）が破損してしまう。ところが、本実施形態では、ケーシング（2）からヒューズボックス（50）への熱伝達が抑制されるので、ヒューズボックス（50）において結露の発生を防止することができる。その結果、圧縮機（1）の信頼性を一層向上させることができる。
【００３７】
《その他の実施形態》
上記実施形態については、以下のような構成としてもよい。
【００３８】
例えば、上記実施形態では、ヒューズボックス（50）を端子箱（3）の下部に取り付けるようにしたが、これに限らず、端子箱（3）の側部や上部に取り付けるようにしてもよい。
【００３９】
また、上記実施形態では、端子箱（3）の外部にヒューズ（55）を設けるようにしたが、端子箱（3）の内部に収納するようにしてもよい。つまり、本発明は、ターミナル（21）の端子ピン（23）よりも電源側であれば、如何なる位置にヒューズ（55）を設けてもよい。
【００４０】
また、上記ヒューズボックス（50）は、端子箱（3）に取付固定しなくてもよく、例えば、ケーシング（2）に直接または取付部材を介して取付固定するようにしてもよい。      
【００４１】
また、上記実施形態では、三相電力を供給するタイプの圧縮機（1）について説明したが、本発明は、単相電力がターミナルを介して電動機に供給される圧縮機であっても適用することができる。その場合、ケーシング外のターミナルの端子ピンに１つのヒューズが電気的に接続される。
【００４２】
なお、上記実施形態は、本質的に好ましい例示であって、本発明、その適用物、あるいはその用途の範囲を制限することを意図するものではない。
【産業上の利用可能性】
【００４３】
以上説明したように、本発明は、給電用のターミナルを備えた圧縮機として有用である。
【図面の簡単な説明】
【００４４】
【図１】本発明の実施形態に係る圧縮機の外観を示す正面図である。
【図２】端子箱およびヒューズボックスの外観を示す正面図である。
【図３】端子箱およびヒューズボックスの内部を示す側面図である。
【図４】端子箱の内部を示す正面図である。
【図５】ヒューズボックスの構成を示すものであり、（Ｂ）は平面図を示し、（Ａ）は（Ｂ）におけるＡ−Ａ断面図を示し、（Ｃ）は（Ａ）におけるＣ−Ｃ断面図を示すものである。
【符号の説明】
【００４５】
1           圧縮機
2           ケーシング
3           端子箱
21          ターミナル
23          端子ピン
50          ヒューズボックス
55          ヒューズ
【図１】
2008202538.tif 000003
【図２】
2008202538.tif 000004
【図３】
2008202538.tif 000005
【図４】
2008202538.tif 000006
【図５】
2008202538.tif 000007